(57)【要約】【課題】  本発明は移動式の鼻環仕掛けに係り、編込み糸が引っ張られても、ハリスに対し編込み糸が締め込まれてしまうことを防止した鼻環仕掛けを提供することを目的とする。【解決手段】  請求項１に係る発明は、ハリスに沿って編み付けた編込み糸に鼻環を編み込んだ移動式の鼻環仕掛けに於て、前記編込み糸で鼻環を編み込んだ位置のハリスに固定糸の一端側を取り付けると共に、該固定糸の他端側を鼻環に締結したことを特徴とする。  そして、請求項２に係る移動式の鼻環仕掛けは、ハリスに沿って編み付けた編込み糸と、ハリスに一端側を取り付けた固定糸を揃えてこぶを作り、編込み糸と固定糸の巻き終わり端部側で鼻環を締結したことを特徴とし、請求項３に係る移動式の鼻環仕掛けは、ハリスに沿って編み付けた編込み糸と、ハリスに一端側を取り付けた固定糸を揃えてこぶを作り、編込み糸の巻き終わり端部側で鼻環を締結したことを特徴とする。【選択図】    図２
2011072262.tif 000002
【特許請求の範囲】
【請求項１】
ハリスに沿って編み付けた編込み糸に鼻環を編み込んだ移動式の鼻環仕掛けに於て、
前記編込み糸で鼻環を編み込んだ位置のハリスに固定糸の一端側を取り付けると共に、該固定糸の巻き終わり端部側を鼻環に締結したことを特徴とする移動式の鼻環仕掛け。
【請求項２】
ハリスに沿って編み付けた編込み糸と、ハリスに一端側を取り付けた固定糸を揃えて結びこぶを作り、編込み糸と固定糸の巻き終わり端部側で鼻環を締結したことを特徴とする移動式の鼻環仕掛け。
【請求項３】
ハリスに沿って編み付けた編込み糸と、ハリスに一端側を取り付けた固定糸を揃えて結びこぶを作り、編込み糸の巻き終わり端部側で鼻環を締結したことを特徴とする移動式の鼻環仕掛け。
【請求項４】
前記固定糸は、前記編込み糸よりも伸度が小さいことを特徴とする請求項１乃至請求項３のいずれか１項に記載の移動式の鼻環仕掛け。
【発明の詳細な説明】
【技術分野】
【０００１】
本発明は、鮎の友釣りに使用する移動式の鼻環仕掛けに関する。
【背景技術】
【０００２】
従来、鮎釣りに友釣り仕掛けが使用されているが、１つの友釣り用仕掛けで、おとり鮎の大きさによってハリスにおける鼻環の位置を道糸方向或いは逆バリ方向に移動させることができる鼻環の取付方法が特許文献１に開示されている。
【０００３】
この鼻環の取付方法は、図６及び図７に示すようにハリス１の所定位置に編込み糸３の一端部を取り付けた後、先ず、図８の如く編込み糸３の巻き終わり端部（他端部）側でハリス１を１回巻き付け、編込み糸３の一端部側で形成した輪５の中に編込み糸３の巻き終わり端部側を挿通して、編込み糸３を、該編込み糸３の一端部の取付位置から道糸を接続するハリス１の一端部側に図９の如く巻き付ける。
【０００４】
そして、前述した巻き付けをハリス１の一端部側へ複数回繰り返し乍ら、編込み糸３で鼻環７をハリス１に取り付け、更に、ハリス１への編込み糸３の巻き付けをハリス１の一端部側に複数回繰り返した後、図１０に示すように編込み糸３の巻き終わり端部をハリス１に締結して、鼻環７をハリス１に移動可能に取り付けるものである。
【先行技術文献】
【特許文献】
【０００５】
【特許文献１】特開平５−１２３０９０号公報
【発明の概要】
【発明が解決しようとする課題】
【０００６】
しかし、前記取付方法によって鼻環７をハリス１に対し移動可能に取り付けた移動式の鼻環仕掛けは、釣行を重ねると、鼻環７を固定している編込み糸３が引っ張られることによってハリス１に対し編込み糸３が締め込まれるため、ハリス１に対して鼻環７が移動できなくなってしまう虞があった。
【０００７】
そして、釣場に於て、斯様に締め込まれた編込み糸３を濡れた指先でほぐす作業は面倒である。
【０００８】
本発明は斯かる実情に鑑み案出されたもので、前述の如き移動式の鼻環仕掛けに改良を加え、編込み糸が引っ張られても、ハリスに対し編込み糸が締め込まれてしまうことを防止した移動式の鼻環仕掛けを提供することを目的とする。
【課題を解決するための手段】
【０００９】
斯かる目的を達成するため、請求項１に係る発明は、ハリスに沿って編み付けた編込み糸に鼻環を編み込んだ移動式の鼻環仕掛けに於て、前記編込み糸で鼻環を編み込んだ位置のハリスに固定糸の一端側を取り付けると共に、該固定糸の巻き終わり端部側を鼻環に締結したことを特徴とする。
【００１０】
そして、請求項２に係る移動式の鼻環仕掛けは、ハリスに沿って編み付けた編込み糸と、ハリスに一端側を取り付けた固定糸を揃えて結びこぶを作り、編込み糸と固定糸の巻き終わり端部側で鼻環を締結したことを特徴とし、請求項３に係る移動式の鼻環仕掛けは、ハリスに沿って編み付けた編込み糸と、ハリスに一端側を取り付けた固定糸を揃えて結びこぶを作り、編込み糸の巻き終わり端部側で鼻環を締結したことを特徴とする。
【００１１】
また、請求項４に係る発明は、請求項１乃至請求項３のいずれか１項に記載の移動式の鼻環仕掛けに於て、前記固定糸は前記編込み糸よりも伸度が小さいことを特徴とする。
【発明の効果】
【００１２】
請求項１に係る発明によれば、度重なる実釣時に、ハリスに対し鼻環を引っ張る方向に大きな負荷が加わっても、鼻環とハリスとの間に介装された固定糸が突っ張って鼻環を編み込み固定した編込み糸の伸びを防ぐため、編込み糸が引っ張られてハリスに締め込まれることがない。
【００１３】
従って、鼻環がハリスに対して固着することがなくなり、長期に亘って安定した保持力で鼻環がハリスに移動可能に取り付くこととなる。
【００１４】
また、請求項２及び請求項３に係る発明によれば、ハリスに対し鼻環を引っ張る方向に大きな負荷が加わっても、鼻環とハリスとの間に形成された結びこぶが、ハリスに巻き付く編込み糸の伸びを規制するため、ハリスに巻き付く編込み糸が引っ張られてハリスに締め込まれることがない。
【００１５】
従って、これらの発明によっても、鼻環がハリスに対して固着することがなくなり、長期に亘って安定した保持力で鼻環がハリスに移動可能に取り付くこととなる。
【００１６】
そして、請求項４に係る発明によれば、固定糸の伸度を編込み糸より小さくして伸びを少なくしているため、確実に固定糸によって編込み糸の締め込みを防ぐことが可能である。
【図面の簡単な説明】
【００１７】
【図１】請求項１及び請求項４の一実施形態に係る鼻環仕掛けの組み付け方法を示す説明図である。
【図２】請求項１及び請求項４の一実施形態に係る鼻環仕掛けの側面図である。
【図３】請求項２及び請求項４の一実施形態に係る鼻環仕掛けの側面図である。
【図４】請求項２及び請求項４の一実施形態に係る鼻環仕掛けの組み付け方法を示す説明図である。
【図５】請求項３及び請求項４の一実施形態に係る鼻環仕掛けの側面図である。
【図６】従来の鼻環の取付方法の説明図である。
【図７】従来の鼻環の取付方法の説明図である。
【図８】従来の鼻環の取付方法の説明図である。
【図９】従来の鼻環の取付方法の説明図である。
【図１０】従来の鼻環仕掛けの側面図である。
【発明を実施するための形態】
【００１８】
以下、本発明の実施形態を図面に基づいて詳細に説明する。
【００１９】
図１及び図２は請求項１及び請求項４に係る移動式の鼻環仕掛けの一実施形態を示し、図中、１１は鮎の友釣り仕掛けのハリスで、該ハリス１１に、図１０の鼻環仕掛けと同様の方法で編込み糸１３が巻き付けられている。
【００２０】
即ち、図６及び図７の従来例と同様、先ず、中央で二つ折りにした１本の編込み糸１３をハリス１１の所定位置に引っ掛けて輪を作り、この輪の中に編込み糸１３の巻き終わり端部側（他端側）１５を挿通させてこれを引っ張ることにより、編込み糸１３の一端部をハリス１１に取り付けている。
【００２１】
次いで、図８及び図９の従来例と同様、巻き終わり端部（他端部）１５側で編込み糸１３をハリス１１に１回巻き付け、形成された輪の中に編込み糸１３の巻き終わり端部１５側を挿通させて、編込み糸１３を、該編込み糸１３の一端部の取付位置から道糸を接続するハリス１１の一端部側（図１中、矢印Ａ方向）に巻き付け（編み付け）る。
【００２２】
そして、前述した巻き付けをハリス１１の一端部側へ複数回繰り返し乍ら、編込み糸１３で鼻環１７をハリス１１に取り付け、更に、ハリス１１への編込み糸１３の巻き付けをハリス１１の一端部側に複数回繰り返した後、編込み糸１３の巻き終わり端部１５をハリス１に締結して、図１の如く鼻環１７がハリス１１に移動可能に取り付けらけれている。
【００２３】
しかし、このように編込み糸１３をハリス１１に巻き付けただけでは、図１０の従来例と同様、鼻環１７を固定している編込み糸１３が引っ張られると、ハリス１１に対し編込み糸１３が締め込まれるため、長期に亘る使用で鼻環１７が移動できなくなってしまう虞がある。
【００２４】
そこで、図１及び図２に示すように本実施形態は、更に編込み糸１３で鼻環１７を編み込んだ位置のハリス１１に固定糸１９の一端側を取り付けると共に、該固定糸１９の巻き終わり端部２１側を鼻環１７に締結したことを特徴としており、固定糸１９は編込み糸１３よりも伸度の小さい材料で形成されている。
【００２５】
而して、ハリス１１に対する固定糸１９の取付けも、前記編込み糸１３の取付方法と同様、中央で二つ折りにした１本の固定糸１９をハリス１１に引っ掛けて輪を作り、この輪の中に固定糸１９の巻き終わり端部（他端部）２１側を挿通させてこれを引っ張ることで、固定糸１９の一端部をハリス１１に取り付ける。
【００２６】
次いで、図１に示すように巻き終わり端部１５側で固定糸１９を鼻環１７に１回巻き付け、形成された輪２３の中に編込み糸１３の巻き終わり端部１５側を挿通させた後、巻き終わり端部１５を引っ張って図２の如くこれをこま結び（締結）して結びこぶ２５を作ることで、鼻環１７が固定糸１９を介してハリス１１に固定されている。
【００２７】
本実施形態に係る移動式の鼻環仕掛け２７はこのように構成されているから、従来と同様、図２に示すように編込み糸１３全体を矢印Ｂ、Ｃ方向に縮めれば、編み目が緩んでハリス１１に対する編込み糸１３の締め込みが解除されるため、ハリス１１に沿って鼻環仕掛け２７を移動させることができる。そして、所定位置に鼻環仕掛け２７を移動させた後、ハリス１１に沿って編込み糸１３全体を引っ張れば、編み目の形状が変化して編込み糸１３がハリス１１に密着するように締め付けるため、鼻環仕掛け２７がハリス１１に位置決め固定されることとなる。
【００２８】
そして、本実施形態にあっては、度重なる実釣時にハリス１１に対し鼻環１７を引っ張る方向に大きな負荷が加わっても、鼻環１７とハリス１１との間に介装された固定糸１９が突っ張って、鼻環１７を編み込み固定した編込み糸１３の伸びを防ぐため、ハリス１１に巻き付く編込み糸１３が引っ張られてハリス１１に締め込まれることがない。
【００２９】
従って、本実施形態によれば、鼻環１７がハリス１１に対して固着することがなくなり、長期に亘って安定した保持力で鼻環１７がハリス１１に移動可能に取り付くこととなった。
【００３０】
而も、本実施形態は、固定糸１９の伸度を編込み糸１３より小さくして伸びを少なくしているため、確実に固定糸１９によって編込み糸１３の締め込みを防ぐことが可能である。
【００３１】
図３は請求項２及び請求項４の一実施形態に係る移動式の鼻環仕掛けを示し、本実施形態に係る鼻環仕掛け２９は、図４に示すように先ず、１本の編込み糸１３の中央からハリス１１に沿ってその周囲に編込み糸１３をクロスさせて、道糸を接続するハリス１１の一端部側（図４中、矢印Ａ方向）に編込み糸１３を巻き付け（編み付け）、斯様に編込み糸１３を複数巻き付けた処で編込み糸１３を一結びしている。
【００３２】
次に、編込み糸１３を一結びした位置に隣接して、前記実施形態と同一の取付方法で固定糸１９の一端部をハリス１１に取り付けている。
【００３３】
この後、図４に示すように２本の編込み糸１３と２本の固定糸１９の巻き終わり端部１５、２１側を揃えて、これらを図３の如く２回こま結びして２つの結びこぶ３１、３３を作り、更に、揃えた２本の編込み糸１３と２本の固定糸１９の巻き終わり端部１５、２１側を鼻環１７に１回巻き付け、形成された輪の中に編込み糸１３と固定糸１９の巻き終わり端部１５、２１側を挿通させた後、両巻き終わり端部１５、２１を引っ張って図３の如くこれをこま結び（締結）して結びこぶ３５を作ることで、編込み糸１３と固定糸１９を介してハリス１１に鼻環１７を固定した構造となっている。
【００３４】
本実施形態はこのように構成されているから、従来と同様、図３に示すように編込み糸１３全体を矢印Ｂ、Ｃ方向に縮めれば、編み目が緩んでハリス１１に対する編込み糸１３の締め込みが解除されるため、ハリス１１に沿って鼻環仕掛け２９を移動させることができる。そして、所定位置に鼻環仕掛け２９を移動させた後、ハリス１１に沿って編込み糸１３全体を引っ張ることで、編み目の形状が変化して編込み糸１３がハリス１１に密着するように締め付けるため、鼻環仕掛け２９がハリス１１に位置決め固定されることとなる。
【００３５】
そして、本実施形態にあっては、度重なる実釣時にハリス１１に対し鼻環１７を引っ張る方向に大きな負荷が加わっても、鼻環１７とハリス１１との間に形成された３つの結びこぶ３１、３３、３５が、ハリス１１に巻き付く編込み糸１３の伸びを規制するため、ハリス１１に巻き付く編込み糸１３が引っ張られてハリス１１に締め込まれることがない。
【００３６】
従って、本実施形態に係る鼻環仕掛け２９によっても、鼻環１７がハリス１１に対して固着することがなくなり、長期に亘って安定した保持力で鼻環１７がハリス１１に移動可能に取り付くこととなる。
【００３７】
また、本実施形態も、固定糸１９の伸度を編込み糸１３より小さくして伸びを少なくしているため、確実に固定糸１９によって編込み糸１３の締め込みを防ぐことが可能となる。
【００３８】
図５は請求項３及び請求項４の一実施形態に係る移動式の鼻環仕掛けを示し、本実施形態に係る鼻環仕掛け３７は、図４の実施形態で形成した結びこぶ３５に代え、揃えた２本の編込み糸１３と２本の固定糸１９の巻き終わり端部１５、２１を揃えて、これらを図の如く２回こま結びして２つの結びこぶ３１、３３を作った後、編込み糸１３の巻き終わり端部１５側を鼻環１７に１回巻き付け、形成された輪の中に編込み糸１３の巻き終わり端部１５を挿通し、これを引っ張っりこま結び（締結）して結びこぶ３９を作ることで、鼻環１７を編込み糸１３と固定糸１９を介してハリス１１に固定したものである。
【００３９】
尚、その他の構成は図３の実施形態と同様であるので、同一のものには同一符号を付してそれらの説明は省略する。
【００４０】
本実施形態はこのように構成されているから、度重なる実釣時に、ハリス１１に対し鼻環１７を引っ張る方向に大きな負荷が加わっても、鼻環１７とハリス１１との間に形成された２つの結びこぶ３１、３３が、ハリス１１に巻き付く編込み糸１３の伸びを規制するため、ハリス１１に巻き付く編込み糸１３が引っ張られてハリス１１に締め込まれることがない。
【００４１】
従って、本実施形態に係る鼻環仕掛け３７によっても、既述した各実施形態と同様、所期の目的を達成することが可能で、鼻環１７がハリス１１に対して固着することがなくなり、長期に亘って安定した保持力で鼻環１７がハリス１１に移動可能に取り付くこととなる。
【００４２】
また、本実施形態も、固定糸１９の伸度を編込み糸１３より小さくして伸びを少なくしているため、確実に固定糸１９によって編込み糸１３の締め込みを防ぐことが可能となる。
【符号の説明】
【００４３】
１１  ハリス
１３  編込み糸
１５、２１  巻き終わり端部
１７  鼻環
１９  固定糸
２３  輪
２５、３１、３３、３５、３９  結びこぶ
２７、２９、３７  鼻環仕掛け
【図１】
2011072262.tif 000003
【図２】
2011072262.tif 000004
【図３】
2011072262.tif 000005
【図４】
2011072262.tif 000006
【図５】
2011072262.tif 000007
【図６】
2011072262.tif 000008
【図７】
2011072262.tif 000009
【図８】
2011072262.tif 000010
【図９】
2011072262.tif 000011
【図１０】
2011072262.tif 000012